(57)【要約】【課題】眼に光を入れることなく入浴中に全身の皮膚に光を照射できる浴槽を提供する。【解決手段】発光部２ａ，２ｂ，２ｄで発生された光を、浴槽１内に溜められた浴槽水Ｗ中に照射できるように構成し、浴槽水Ｗの上面Ｗａ側で光を遮蔽できるように遮蔽手段（しきり）３を設けて構成する。【選択図】図１
2009095548.tif 000002
【特許請求の範囲】
【請求項１】
発光部で発生された光を、浴槽内に溜められた浴槽水中に照射できるように構成するとともに、浴槽水の上面側で光を遮蔽できるように遮蔽手段を設けたことを特徴とする浴槽。
【請求項２】
浴槽を前記浴槽水中に光を導くことのできる導光材で形成し、浴槽上部のフランジ部端側に前記発光部を配設したことを特徴とする請求項１に記載の浴槽。
【請求項３】
前記遮蔽手段が浴槽の上面に敷設可能なしきりであることを特徴とする請求項１または請求項２に記載の浴槽。
【請求項４】
前記しきりの面に、光を反射できる反射処理もしくは特定の色の光を反射できる選択的透過処理が施されていることを特徴とする請求項３に記載の浴槽。
【請求項５】
前記遮蔽手段が、浴槽水の上面に微細気泡を発生させることのできる微細気泡発生手段であることを特徴とする請求項１または請求項２に記載の浴槽。
【発明の詳細な説明】
【技術分野】
【０００１】
本発明は、入浴中に全身の皮膚に光の刺激を与えることのできる浴槽に関するものである。
【背景技術】
【０００２】
従来、特許文献１に開示されているように、緑色の光を発する複数の発光ダイオードによって構成された発光灯を、長手方向へ発光面を向けて浴槽に取り付け、入浴中に全身に緑色の光を照射させるように構成した浴槽が存在する。
【特許文献１】特開２００２−２９１８３２号公報
【発明の開示】
【発明が解決しようとする課題】
【０００３】
上記従来の構造では、入浴中に比較的長時間に亘って全身に健康色の光を照射することができるが、発光灯からの光が眼に入り易く、長時間に亘ると、眼を痛める恐れがあるという問題点があった。
【課題を解決するための手段】
【０００４】
本発明は上記従来の問題点に鑑み案出したものであって、眼に光が入らず全身の皮膚に光の刺激を与えることのできる浴槽を提供するものであり、その請求項１は、発光部で発生された光を、浴槽内に溜められた浴槽水中に照射できるように構成するとともに、浴槽水の上面側で光を遮蔽できるように遮蔽手段を設けたことである。
【０００５】
また、請求項２は、浴槽を前記浴槽水中に光を導くことのできる導光材で形成し、浴槽上部のフランジ部端側に前記発光部を配設したことである。
【０００６】
また、請求項３は、前記遮蔽手段が浴槽の上面に敷設可能なしきりであることである。
【０００７】
また、請求項４は、前記しきりの面に、光を反射できる反射処理もしくは特定の色の光を反射できる選択的透過処理が施されていることである。
【０００８】
また、請求項５は、前記遮蔽手段が、浴槽水の上面に微細気泡を発生させることのできる微細気泡発生手段であることである。
【発明の効果】
【０００９】
本発明の浴槽は、発光部で発生された光を、浴槽内に溜められた浴槽水中に照射できるように構成するとともに、浴槽水の上面側で光を遮蔽できるように遮蔽手段を設けたことにより、入浴中に発光部で発生された光を全身の皮膚に当てて皮膚を刺激することができるものとなる。
なお、皮膚の知覚神経を刺激すると、すべての組織でインスリン様成長因子−Ｉ（ＩＧＦ−Ｉ）が作られて、これが血液にのって全身に回り人体の健康増進作用が高まることが知られており、皮膚を刺激して良好に健康増進作用を高めることができるものとなる。
なお、浴槽水の上面側は遮蔽手段により遮蔽されるため、眼に光が入らなくすることができ、眼を痛める恐れがないものとなる。
【００１０】
また、浴槽を前記浴槽水中に光を導くことのできる導光材で形成し、浴槽上部のフランジ部端側に前記発光部を配設したことにより、発光部を浴槽壁面に埋設等する必要がなく、発光部を浴槽のフランジ部端部に容易に配設して、発光部で発生された光を良好に浴槽水中に照射することができ、浴槽の構造を簡素化させることができるものとなる。
【００１１】
また、前記遮蔽手段が浴槽の上面に敷設可能なしきりであることにより、例えばしきりは風呂蓋で構成することができ、しきりにより、上方側へ向かう光を遮蔽して、眼に光が入らないようにすることができるものとなる。
【００１２】
また、前記しきりの面に、光を反射できる反射処理もしくは特定の色の光を反射できる選択的透過処理が施されていることにより、浴槽水中から上方へ向かう光を確実に反射させ、特に眼を傷つける恐れのある青色の光は確実に反射させ、眼を保護しながら良好に全身の皮膚に光を当てることができるものとなる。
【００１３】
また、前記遮蔽手段が、浴槽水の上面に微細気泡を発生させることのできる微細気泡発生手段であることにより、気泡発生手段から浴槽水の上面に微細気泡を発生させて、浴槽水の上面を微細気泡で覆い、浴槽水から上方へ漏れる光をこの微細気泡で遮断して、眼に光が入らないようにすることができるものとなる。
【実施例】
【００１４】
以下、本発明の実施例を図面に基づいて説明する。
図１は、第１実施例の浴槽の使用状態の概略断面構成図である。
浴槽１の側壁面および底面には複数の発光部が例えば埋設状に設けられており、背中側には背中側発光部２ａが、底側には底側発光部２ｂが、脚側には脚側発光部２ｃが設けられている。この発光部２ａ，２ｂ，２ｃは、青色光（４２０ｎｍ〜５２０ｎｍ）を含む光、好ましくは、青色光（４２０ｎｍ〜５２０ｎｍ）を含みかつ赤色光を含まない可視光を発生することのできる光源で構成されている。
【００１５】
また、浴槽１内に溜められる浴槽水Ｗの上面Ｗａの上方には、しきり３が敷設され、このしきり３の左端には開口孔３ｂが形成されており、この開口孔３ｂから入浴者４は頭部４ａを上方へ出して浴槽１内で良好に入浴することができるように構成されている。
なお、しきり３は風呂蓋で構成されており、このしきり３の下面側にはフィルター３ａが設けられている。
【００１６】
このフィルター３ａは、発光部２ａ，２ｂ，２ｃから浴槽水Ｗ内に照射された光を反射、または、特定の色の光を選択的に透過することができるものであり、発光部２ａ，２ｂ，２ｃが高輝度青色ＬＥＤで構成されている場合には、フィルター３ａで青色の光を反射して上方側へ光が逃げないようにすることができ、また、発光部２ａ，２ｂ，２ｃが波長４２０ｎｍ〜５２０ｎｍの青色光を含みかつ赤色光を含まない可視光を発する光源である場合には、青色の光のみを反射させて他の色の光は上方へ逃がすことができるように構成されている。
従ってフィルター３ａより上方へは青色の光は逃げないために、入浴者４の頭部４ａの特に眼には青色の光は入らないように構成されており、青色の光が眼に入らない状態で入浴者４は胴体および脚の全身の皮膚に発光部２ａ，２ｂ，２ｃからの光を浴びることができるものであり、特に青色の光により全身の皮膚が広い範囲で刺激されることにより、良好に健康増進作用を高めることができるものとなる。
【００１７】
なお、前記しきり３にフィルター３ａを貼着したものを例示しているが、フィルター３ａに代えて、誘電体等を蒸着させた蒸着膜をしきり３に設けた構成であっても良く、しきり３にその他の反射処理または選択的透過処理を施したものであっても良い。
【００１８】
なお、浴槽１は図２のような構造とすることもでき、図２の浴槽１は、透明な導光材で全体が形成されたものであり、この浴槽１の上部のフランジ部１ａの上面に対しほぼ直角となるように浴槽１の側壁面の上端部に発光部２ａ，２ｃを臨ませて配置しておくことができ、発光部２ａ，２ｃから発せられた光は、浴槽１が導光材で形成されているため、空気との境界面では光が反射されて良好に光が導かれ、浴槽１内に溜められた浴槽水Ｗとの接触部分では、全反射が漏れて発光部２ａ，２ｃからの光が浴槽水中に良好に照射されるものである。
このような構成では、発光部２ａ，２ｃをフランジ部１ａの上面に容易に配設することができ、防水処理等が容易となり、浴槽全体を安価に形成することができるものとなる。
【００１９】
次に、図３は第２実施例を示すものであり、図３では、浴槽１の脚側の側壁面の上部に微細気泡発生装置５を設けたもので、この微細気泡発生装置５の下側の浴槽１の側壁面および底面には複数の発光部２ａ，２ｂ，２ｃが埋設状等の手段で配設されている。
微細気泡発生装置５は、例えば外部のコンプレッサーに接続されてノズルから微細な気泡（マイクロバブル）を噴出させることができるものである。
【００２０】
微細気泡発生装置５により、浴槽水Ｗの上面Ｗａ側に微細気泡（マイクロバブル）６の層を形成させることができるものである。即ち、微細気泡６は、浴槽水の上面Ｗａ側に溜められて、浴槽水Ｗ中から上方へ漏れようとする光を遮蔽することができ、これにより、発光部２ａ，２ｂ，２ｃから浴槽水Ｗ中に照射された光が上方へ漏れることが防がれて、入浴者４の眼に光が入ることを良好に防ぐことができるものである。
入浴者４は眼に光が入らない状態で、入浴中に発光部２ａ，２ｂ，２ｃからの光を全身の皮膚に当てることができ、比較的長時間に亘り入浴中に皮膚に青色の光を当てて、広い範囲で皮膚を刺激することができ、これにより、良好に健康増進作用を高めることができるものとなる。また微細気泡（マイクロバブル）による温浴効果により、更に健康増進作用が高められるものである。
【００２１】
なお、図４は、皮膚の知覚神経を刺激することで放出され、健康増進作用を有するインスリン様成長因子−Ｉ（ＩＧＦ−Ｉ）の産出を促すカルシトニン遺伝子関連ペプチド（ＣＧＲＰ）（単位はｐｇ／ｍｌ）の放出濃度を測定した結果を示すものである。
マウスの脊髄後根神経節細胞を５日間培養後、１０分間各色の光を照射し、培養上清中に放出されたカルシトニン遺伝子関連ペプチド（ＣＧＲＰ）の濃度を測定した。
図中、左側のＮｏは光を照射しなかった場合であり、図中Ｂｌｕｅは青色ＬＥＤからの青色光（４２０〜５２０ｎｍ）を照射した場合であり、図中Ｒｅｄは赤色ＬＥＤからの赤色光（５７０〜６７０ｎｍ）を照射した場合であり、図中Ｇｒｅｅｎは緑色ＬＥＤからの緑色光（４７５〜５７５ｎｍ）を照射した場合である。
また、図中ｎ＝５は、サンプル数が５であることを示している。
測定結果は、光を照射しなかった場合は１３０ｐｇ／ｍｌ、青色光の場合は１７０ｐｇ／ｍｌ、赤色光の場合は８０ｐｇ／ｍｌ、緑色光の場合は１３０ｐｇ／ｍｌのＣＧＲＰの放出濃度が測定され、この結果、光を照射しなかった場合と比較して、ＣＧＲＰ放出濃度は、青色光では増加し、赤色光では減少し、緑色光では変化なしであった。
以上の結果によりＩＧＦ−Ｉを増加させるためには青色光が最も適していることが確認された。青色光によるカルシトニン遺伝子関連ペプチド（ＣＧＲＰ）放出の増加は、青色光による水の機能もしくは構造変化が重要に寄与すると思料される。
【００２２】
なお、更に図５に示すような実験装置を使用して実験を行った。
即ち、図５の装置では、水槽１６に循環路１７が接続されており、循環路１７内には吸い込みポンプ１８と微細気泡を発生させる微細気泡発生装置１９を設けておく。浴槽１６内には、板２１を立てて、この板２１にケージ２２を取り付け、ケージ２２内にマウスＭを入れて、水槽１６内にマウスＭの頭部を除く体が浸かる程度に水Ｗを入れる。また、水槽１６の外側に、水Ｗの水面よりも下方位置に青色光を発する青色ＬＥＤ２０を設けて、青色ＬＥＤ２０からの光がマウスＭに当たるように設定した。このような装置において、五匹のマウスＭを使用して実験を行い、図６の結果が得られた。
【００２３】
なお、微細気泡発生装置１９で発生されて浴槽１６内に噴出される微細気泡Ｂは、直径１００マイクロメートル以下のマイクロバブルである。また、浴槽１６内の水Ｗは４０℃に設定したものであり、マウスＭを４０℃の水Ｗに５分間浸漬させた場合のインスリン様成長因子−Ｉ（ＩＧＦ−Ｉ）の濃度を測定した結果を、白抜きのＣｏｎｔｒｏｌで示す。
また、マイクロバブルＭＢのみを５分間マウスＭに作用させた場合のインスリン様成長因子−Ｉ（ＩＧＦ−Ｉ）の濃度を測定した結果を、複数の点を入れた部分で示す。
また、マイクロバブルＭＢと青色光を同時にマウスＭに５分間作用させた場合のインスリン様成長因子−Ｉ（ＩＧＦ−Ｉ）の濃度を測定した結果を、黒色の部分で示す。
図６に示すように、マウスの心臓，肺，肝臓，腎臓，胃，空腸，脳，脊髄，皮膚，血漿の各部位において測定を行ったが、この結果、マイクロバブルＭＢのみをマウスＭに作用させた場合でもＩＧＦ−１は増加するが、マイクロバブルＭＢと青色光を併用させるとＩＧＦ−１の増加が各部位とも一層促進されていることが確認された。
この結果、マイクロバブルＭＢと青色光との併用は、健康促進作用を効率良く増加させることのできる方法として有効であると言える。
【図面の簡単な説明】
【００２４】
【図１】第１実施例の浴槽の使用状態の概略断面構成図である。
【図２】浴槽の変更例を示す縦断面概略構成図である。
【図３】第２実施例の浴槽の使用状態の概略縦断面構成図である。
【図４】皮膚の知覚神経を刺激することで放出され、健康増進物質であるインシュリン様成長因子（ＩＧＦ−Ｉ）の産出を促すカルシトニン遺伝子関連ペプチド（ＣＧＲＰ）の放出濃度を測定した結果を示すデータ図である。
【図５】実験装置の概略構成図である。
【図６】図５の装置を用いて実験し、インシュリン様成長因子（ＩＧＦ−Ｉ）濃度を測定した結果を示すデータ図である。
【符号の説明】
【００２５】
１  浴槽
２ａ，２ｂ，２ｃ  発光部
３  しきり（風呂蓋）
３ａ  フィルター
３ｂ  開口孔
４  入浴者
４ａ  頭部
５  微細気泡発生装置
６  微細気泡
Ｗ  浴槽水
Ｗａ  上面
【図１】
2009095548.tif 000003
【図２】
2009095548.tif 000004
【図３】
2009095548.tif 000005
【図４】
2009095548.tif 000006
【図５】
2009095548.tif 000007
【図６】
2009095548.tif 000008